(57)【要約】【課題】通話相手の切り替えを実施した後に、通話相手を誤って表示しないようにする。【解決手段】ハンズフリー通話中に割込着信があるか否かを判定し（Ｓ１０２）、割込着信があると判定された場合、割込着信の呼との通話に切り替えるか割込着信による接続要求を拒否するかを判定する（Ｓ１０６）。割込着信の呼との通話に切り替えると判定された場合、ハンズフリー通話中の呼を保留にして割込着信の呼との通話に切り替え（Ｓ１０８、Ｓ１１０）、通話相手を表す情報を非表示として、割込着信を受けた後の通話中であることを表示部１０のディスプレイに表示させる（Ｓ１１２）。【選択図】図２
2008042717.tif 000002
【特許請求の範囲】
【請求項１】
携帯型通信機器と無線または有線により接続され、前記携帯型通信機器のハンズフリー通話を実現するハンズフリー装置であって、
前記ハンズフリー通話中に割込着信があるか否かを判定する割込着信判定手段と、
前記割込着信判定手段によって前記割込着信があると判定された場合、前記割込着信の呼との通話に切り替えるか前記割込着信による接続要求を拒否するかを判定する操作判定手段と、
前記操作判定手段によって前記割込着信の呼との通話に切り替えると判定された場合、前記ハンズフリー通話中の呼を保留にして前記割込着信の呼との通話に切り替えるとともに、前記通話相手を表す情報を非表示として、前記割込着信を受けた後の通話中であることを表示手段に表示させる第１の表示制御手段とを備えたことを特徴とするハンズフリー装置。
【請求項２】
前記割込着信判定手段によって前記割込着信があると判定されてから、前記操作判定手段によって前記割込着信の呼との通話への切り替えまたは前記割込着信による接続要求の拒否することが判定されるまでの間、前記割込着信の通話相手を表す情報を前記表示手段に表示させる第２の表示制御手段と、を備えたことを特徴とする請求項１に記載のハンズフリー装置。
【請求項３】
前記操作判定手段によって前記割込着信による接続要求を拒否すると判定された場合、前記割込着信の接続要求を切断して前記ハンズフリー通話中の通話を継続するとともに、前記通話相手を表す情報を前記表示手段に表示させる第３の表示制御手段と、を備えたことを特徴とする請求項１または２に記載のハンズフリー装置。
【請求項４】
前記第１の表示制御手段によって前記通話相手を表す情報を非表示として、前記割込着信を受けた後の通話中であることが表示手段に表示された後、前記ハンズフリー通話中の呼との通話を切断することを判定した場合、前記ハンズフリー通話中の呼との通話を切断して前記保留中の呼との通話に切り替えるとともに、前記通話相手を表す情報を非表示として、前記割込着信を受けた後の通話中であることを表示手段に表示させる第４の表示制御手段と、を備えたことを特徴とする請求項１ないし３のいずれか１つに記載のハンズフリー装置。
【発明の詳細な説明】
【技術分野】
【０００１】
本発明は、有線または無線により接続された携帯型通信機器から基地局を介して接続された通話先とハンズフリー通話を行うハンズフリー装置に関する。
【背景技術】
【０００２】
従来、有線または無線により携帯電話等の携帯型通信機器と接続し、この携帯型通信機器を介してハンズフリー機能を実現するハンズフリー装置がある（例えば、特許文献１参照）。このようなハンズフリー装置により、ユーザは携帯型通信機器を手に取ることなく通話相手と通話することが可能となる。
【特許文献１】特開２００５−２８６８２７号公報
【発明の開示】
【発明が解決しようとする課題】
【０００３】
ところで、固定電話機や携帯電話機では、通話中に第三者から割込着信があった場合、ユーザの操作に応じて通話中の呼を保留にして第三者との通話に切り替えるキャッチホン機能（キャッチホンは登録商標）を利用することが可能となっている。これらの電話機は、ユーザによって通話相手の切り替え操作がなされると、ディスプレイに表示される通話相手の電話番号または名前も切り替わるようになっている。
【０００４】
しかしながら、ハンズフリー装置の画面操作によりキャッチホン機能による通話相手の切り替えを実施する場合、ハンズフリー装置から携帯電話機へキャッチホン機能による通話相手の切り替え指示を送信し、携帯電話機により通話相手の切り替えが実施されても、携帯電話機から通話中の相手を表す情報が通知されないため、通話相手の切り替えの実施後に、通話相手の電話番号や名前を誤って表示してしまう可能性がある。
【０００５】
本発明は上記点に鑑みたもので、通話相手の切り替えを実施した後に、通話相手を誤って表示しないようにすることを目的とする。
【課題を解決するための手段】
【０００６】
本発明の第１の特徴は、携帯型通信機器と無線または有線により接続され、携帯型通信機器のハンズフリー通話を実現するハンズフリー装置であって、ハンズフリー通話中に割込着信があるか否かを判定する割込着信判定手段と、割込着信判定手段によって割込着信があると判定された場合、割込着信の呼との通話に切り替えるか割込着信による接続要求を拒否するかを判定する操作判定手段と、操作判定手段によって割込着信の呼との通話に切り替えると判定された場合、ハンズフリー通話中の呼を保留にして割込着信の呼との通話に切り替えるとともに、通話相手を表す情報を非表示として、割込着信を受けた後の通話中であることを表示手段に表示させる第１の表示制御手段とを備えたことである。
【０００７】
このような構成では、割込着信の呼との通話に切り替えると判定された場合、ハンズフリー通話中の呼を保留にして割込着信の呼との通話に切り替えられ、通話相手を表す情報が非表示となり、割込着信を受けた後の通話中であることが表示されるので、通話相手の切り替えを実施した後に、通話相手を誤って表示しないようにすることができる。
【０００８】
また、本発明の第２の特徴は、割込着信判定手段によって割込着信があると判定されてから、操作判定手段によって割込着信の呼との通話への切り替えまたは割込着信による接続要求の拒否することが判定されるまでの間、割込着信の通話相手を表す情報を表示手段に表示させる第２の表示制御手段と、を備えたことである。
【０００９】
このような構成では、割込着信があると判定されてから、割込着信の呼との通話への切り替えまたは割込着信による接続要求の拒否することが判定されるまでの間、割込着信の通話相手を表す情報が表示手段に表示されるので、ユーザは割込着信の通話相手を認識することができる。
【００１０】
また、本発明の第３の特徴は、操作判定手段によって割込着信による接続要求を拒否すると判定された場合、割込着信の接続要求を切断してハンズフリー通話中の通話を継続するとともに、通話相手を表す情報を表示手段に表示させる第３の表示制御手段と、を備えたことである。
【００１１】
このような構成では、割込着信による接続要求を拒否すると判定された場合、割込着信の接続要求を切断してハンズフリー通話中の通話を継続し、通話相手を表す情報が表示手段に表示されるので、ユーザは通話相手を認識することができる。
【００１２】
また、本発明の第４の特徴は、第１の表示制御手段によって通話相手を表す情報を非表示として、割込着信を受けた後の通話中であることが表示手段に表示された後、ハンズフリー通話中の呼との通話を切断することを判定した場合、ハンズフリー通話中の呼との通話を切断して保留中の呼との通話に切り替えるとともに、通話相手を表す情報を非表示として、割込着信を受けた後の通話中であることを表示手段に表示させる第４の表示制御手段と、を備えたことである。
【００１３】
このような構成では、第１の表示制御手段によって通話相手を表す情報を非表示として、割込着信を受けた後の通話中であることが表示手段に表示された後、ハンズフリー通話中の呼との通話を切断することが判定された場合、第１の表示制御手段による表示と同様の表示が継続されるので、通話相手を誤って表示しないようにすることができる。
【発明を実施するための最良の形態】
【００１４】
本発明の一実施形態に係る車両用ハンズフリー装置の構成を図１に示す。本車両用ハンズフリー装置１は、Ｂｌｕｅｔｏｏｔｈ通信機能（Ｂｌｕｅｔｏｏｔｈは登録商標）を有する携帯電話機３と近距離無線通信を行い、この携帯電話機３から基地局（図示せず）を介して接続された通話先とハンズフリー通話を行う。
【００１５】
本車両用ハンズフリー装置１は、表示部１０、無線通信ユニット１１、操作部１２および制御部１３を備えている。
【００１６】
表示部１０は、液晶等のディスプレイを有し、制御部１３から入力される画像信号に応じた画像をディスプレイに表示させる。この表示部１０には、通話状態、通話時間、通話相手の電話番号、通話相手の名前、通話開始キーとしてのオフフックスイッチ、通話終了キーとしてのオンフックスイッチ、「０」〜「９」を入力するための数字キー、音量調整キー、スピーカ２１から出力される受話音声を無音にするためのミュートキー、後述するプライベートモードとハンズフリーモードの切り替え操作を行うためのトランスファーキー等の各種操作キー、携帯電話機３の充電状態や電波状態等の各種情報が表示される。
【００１７】
無線通信ユニット１１は、制御部１３からの指示に基づいて、携帯電話機３と近距離無線通信による無線信号のやりとりを行う。具体的には、無線通信ユニット１１は、携帯電話機３からの無線信号を受信するアンテナ（図示せず）を有し、このアンテナを介して受信した無線信号に対して増幅、周波数変換、復調、Ａ／Ｄ変換等、所定のＢｌｕｅｔｏｏｔｈの無線通信プロトコルに従った処理を施し、その結果を制御部１３へ出力する。また、無線通信ユニット１１は、制御部１３から入力されたデータに対して、Ｄ／Ａ変換、変調、周波数変換、増幅等、所定のＢｌｕｅｔｏｏｔｈの無線通信プロトコルに従った処理を施し、その結果を接続相手の電話機に送信するために、アンテナ（図示せず）を介して携帯電話機３へ送信する。
【００１８】
操作部１２は、表示部１０のディスプレイに重ねて設けられたタッチスイッチ、表示部１０のディスプレイの周囲に設けられたメカニカルスイッチ、車両のステアリングに設けられた遠隔操作用のステアリングスイッチ（いずれも図示せず）等によって構成されており、ユーザのスイッチ操作に応じた信号を制御部１３へ出力する。なお、ステアリングスイッチは、通話開始キーとしてのオフフックスイッチと通話終了キーとしてのオンフックスイッチを有している。
【００１９】
制御部１３は、ＣＰＵ、メモリ、Ｉ／Ｏ等を備えたコンピュータとして構成されており、ＣＰＵはメモリに記憶されたプログラムに従ってハンズフリー通話のための処理を実施する。
【００２０】
また、制御部１３には、車室内の乗員の音声を集音し、乗員の音声に応じた音声信号を制御部１３へ出力するマイク２０と、制御部１３から入力される音声信号に応じた音声を出力するスピーカ２１が接続されている。これらのマイク２０およびスピーカ２１は、車室内に設置されている。
【００２１】
携帯電話機３は、本車両用ハンズフリー装置１を利用して通話するハンズフリーモードと、車両用ハンズフリー装置１を利用することなく電話機側の機能のみを利用して通話するプライベートモードを備えている。これらのモードの切り替えは、携帯電話機３の操作キーの操作、あるいは上述した車両用ハンズフリー装置１の表示部１０に表示されるトランスファーキーの操作によって行われる。
【００２２】
次に、図２に従って、制御部１３の処理について説明する。なお、ここでは、携帯電話機３が車内に持ち込まれており、携帯電話機３と車両用ハンズフリー装置１とが近距離無線通信によって接続された状態にあるものとして説明する。また、携帯電話機３は、ハンズフリーモードに設定されているものとする。車両用ハンズフリー装置１の制御部１３は、携帯電話機３と相手先の通信機器（図示せず）との通信が確立し、携帯電話機３が相手先の通信機器と通話中になると、図２に示す処理を開始する。
【００２３】
まず、通話中呼の電話番号および名前を表示する（Ｓ１００）。具体的には、図３（ａ）に示すように、通話相手の電話番号（図中では、０９０＊＊＊＊＊＊＊＊と記す）および名前（図中では、Ｏｄａ  Ｎｏｂｕｋａｔｓｕと記す）を表示部１０のディスプレイに表示させる。
【００２４】
次に、着信があるか否かを判定する（Ｓ１０２）。具体的には、携帯電話機３３からハンズフリー通話中に第三者からのセカンドコールの着信（割込着信）があるか否かに基づいて着信があるか否かを判定する。なお、このセカンドコールの着信には、相手の電話番号および名前が含まれる。
【００２５】
ハンズフリー通話中にセカンドコールの着信がない場合、Ｓ１０２の判定はＮＯとなり、Ｓ１００へ戻る。
【００２６】
ハンズフリー通話中にセカンドコールの着信があると、Ｓ１０２の判定はＹＥＳとなり、次に、着信呼の電話番号および名前を表示する（Ｓ１０４）。具体的には、図３（ｂ）に示すように、セカンドコールの着信を表すメッセージとともに、「Ｓｗｉｔｃｈ  Ｃａｌｌ」スイッチおよび「Ｒｅｊｅｃｔ  Ｃａｌｌ」スイッチのいずれかの選択を促す画面をポップアップ表示させる。また、同時に、セカンドコールの相手先の電話番号（図中では、０９０＊＊＊＊＊＊＊＊と記す）および名前（図中では、Ｔｏｙｏｔｏｍｉ  Ｈｉｄｅｙｏｒｉと記す）を表示させる。
【００２７】
次に、着信を取るか切るかを判定する（Ｓ１０６）。具体的には、セカンドコールの着信による通話に切り替えるかセカンドコールによる接続要求を拒否するかを判定する。ユーザによって「Ｓｗｉｔｃｈ  Ｃａｌｌ」スイッチが選択操作された場合またはステアリングスイッチのオフフックスイッチが長押しされた場合には「着信を取る」と判定し、ユーザによって「Ｒｅｊｅｃｔ  Ｃａｌｌ」スイッチが選択操作された場合またはステアリングスイッチのオンフックスイッチが操作された場合には「着信を切る」と判定する。
【００２８】
例えば、ユーザによって「Ｓｗｉｔｃｈ  Ｃａｌｌ」スイッチが選択操作された場合、Ｓ１０６の判定は「着信を取る」となり、通話中の呼を保留にして着信元（セカンドコール）を通話状態にする（Ｓ１０８、Ｓ１１０）。具体的には、無線通信ユニット１１を介して通話中の呼を保留にしてセカンドコールを通話状態にするためのコマンドを携帯電話機３へ送信する。なお、携帯電話機３へこのようなコマンドを送信しても、携帯電話機３から通話中の相手を表す情報は通知されない。
【００２９】
次に、通話相手の電話番号および名前を非表示にして、割込着信を受けた後の通話中であることを表示部１０のディスプレイに表示させる（Ｓ１１２）。具体的には、図３（ｃ）に示すように、相手先の電話番号および名前を非表示にして、「キャッチ通話中」と表示させる。
【００３０】
次に、通話中呼を切断するか否かを判定する（Ｓ１１４）。具体的には、ユーザによりオンフックスイッチが操作されたか否かに基づいて通話中の呼を切断するか否かを判定する。
【００３１】
オンフックスイッチが選択操作されない場合、Ｓ１１４の判定はＮＯとなり、Ｓ１１４の判定を繰り返す。
【００３２】
また、オンフックスイッチが選択操作されると、Ｓ１１４の判定はＹＥＳとなり、次に、通話中の呼を切断して着信元（セカンドコール）を通話状態にする（Ｓ１１６、Ｓ１１８）。具体的には、無線通信ユニット１１を介して通話中の呼の接続を切断してセカンドコールとの通話状態にするためのコマンドを送信する。
【００３３】
次に、相手先の電話番号および名前を非表示にして、割込着信を受けた後の通話中であることを表示部１０のディスプレイに表示させる（Ｓ１２０）。具体的には、図３（ｃ）に示した表示を継続する。
【００３４】
次に、通話中呼を切断するか否かを判定する（Ｓ１２２）。具体的には、ユーザによりオンフックスイッチが操作されたか否かに基づいて通話中呼を切断するか否かを判定する。
【００３５】
オンフックスイッチが選択操作されない場合、Ｓ１２２の判定はＮＯとなり、Ｓ１２２の判定を繰り返す。
【００３６】
オンフックスイッチが選択操作されると、Ｓ１２２の判定はＹＥＳとなり、次に、通話中呼を切断する（Ｓ１２４）。具体的には、通話が終了した状態であることを表す画面を表示部１０のディスプレイに表示させ、本処理を終了する。
【００３７】
また、通話中にセカンドコールの着信があり、図３（ａ）に示した画面を表示した状態で、例えば、ユーザによって「Ｒｅｊｅｃｔ  Ｃａｌｌ」スイッチが選択操作されると、Ｓ１０６の判定は「着信を切る」となり、次に、割込着信（セカンドコール）の呼を切断する（Ｓ１２６）。具体的には、無線通信ユニット１１を介してセカンドコールの着信を拒否するコマンドを携帯電話機３へ送信する。なお、このようなコマンドを携帯電話機３へ送信した場合には、携帯電話機３から通話中の相手を表す情報が通知される。
【００３８】
また、通話中の呼との通話状態を継続し（Ｓ１２８）、次に、通話相手の電話番号および名前を表示部１０のディスプレイに表示させる（Ｓ１３０）。具体的には、図３（ｄ）に示すように、通話相手の電話番号（図中では、０９０＊＊＊＊＊＊＊＊と記す）および名前（図中では、Ｏｄａ  Ｎｏｂｕｋａｔｓｕと記す）を表示部１０のディスプレイに表示させ、Ｓ１２２へ進む。なお、図３（ａ）と図３（ｄ）の表示は同じである。
【００３９】
このように、通話中にセカンドコールの着信があっても、ユーザによって「Ｒｅｊｅｃｔ  Ｃａｌｌ」スイッチが選択操作されると、通話中の呼との通話が継続され、通話相手を表す情報も継続して表示される。
【００４０】
上記した構成によれば、割込着信の呼との通話に切り替えるか割込着信による接続要求を拒否するかを判定し、割込着信の呼との通話に切り替えると判定された場合、ハンズフリー通話中の呼を保留にして割込着信の呼との通話に切り替えられ、通話相手を表す情報が非表示となり、割込着信を受けた後の通話中であることが表示されるので、通話相手の切り替えを実施した後に、通話相手を誤って表示しないようにすることができる。
【００４１】
なお、割込着信があると判定されてから、割込着信の呼との通話への切り替えまたは割込着信による接続要求の拒否することが判定されるまでの間、割込着信の通話相手を表す情報が表示部１０のディスプレイに表示されるので、ユーザは割込着信の通話相手を認識することができる。
【００４２】
また、割込着信による接続要求を拒否すると判定された場合、割込着信の接続要求を切断してハンズフリー通話中の通話を継続し、通話相手を表す情報が表示部１０のディスプレイに表示されるので、ユーザは通話相手を認識することができる。
【００４３】
また、Ｓ１１２にて、図３（ｃ）に示したように、通話相手を表す情報を非表示として、割込着信を受けた後の通話中であることを表示させた後、ハンズフリー通話中の呼との通話を切断することを判定した場合、ハンズフリー通話中の呼との通話を切断して保留中の呼との通話に切り替えるとともに、通話相手を表す情報を非表示として、割込着信を受けた後の通話中であることを表示させ、図３（ｃ）に示した表示が継続されるので、通話相手を誤って表示しないようにすることができる。
【００４４】
なお、本発明は上記実施形態に限定されるものではなく、本発明の趣旨に基づいて種々なる形態で実施することができる。
【００４５】
例えば、上記実施形態では、車両用ハンズフリー装置を例にハンズフリー装置について説明したが、車両用に限定されるものではなく、例えば、船舶、航空機等に搭載されて用いられてもよい。
【００４６】
また、上記実施形態では、携帯電話機とハンズフリー装置を無線により接続してハンズフリー通話を実現する例について説明したが、携帯電話機以外の携帯型通信機器を接続してハンズフリー通話を実現してもよい。
【００４７】
また、上記実施形態では、携帯電話機とハンズフリー装置との間を無線により接続した例を示したが、携帯電話機とハンズフリー装置との間をケーブル等の有線により接続してもよい。
【００４８】
また、上記実施形態では、Ｓ１００、Ｓ１０４、Ｓ１３０にて、通話相手の電話番号および名前を表示する例を示したが、通話相手の電話番号と名前のいずれか一方のみを表示するようにしてもよい。
【００４９】
なお、上記実施形態における構成と特許請求の範囲の構成との対応関係について説明すると、Ｓ１０２が割込着信判定手段に相当し、Ｓ１０６が操作判定手段に相当し、Ｓ１０８、Ｓ１１０、Ｓ１１２が第１の表示制御手段に相当し、Ｓ１０４が第２の表示制御手段に相当し、Ｓ１２６、Ｓ１２８、Ｓ１３０が第３の表示制御手段に相当し、Ｓ１１６、Ｓ１１８、Ｓ１２０が第４の表示制御手段に相当する。
【図面の簡単な説明】
【００５０】
【図１】本発明の一実施形態に係る車両用ハンズフリー装置の構成を示す図である。
【図２】車両用ハンズフリー装置の制御部の処理を示すフローチャートである。
【図３】（ａ）〜（ｄ）は、車両用ハンズフリー装置の表示部の表示例を示す図である。
【符号の説明】
【００５１】
１…車両用ハンズフリー装置、３…携帯電話機、１０…表示部、
１１…無線通信ユニット、１２…操作部、１３…制御部、２０…マイク、
２１…スピーカ。 
【図１】
2008042717.tif 000003
【図２】
2008042717.tif 000004
【図３】
2008042717.tif 000005